(57)【特許請求の範囲】
【請求項１】
遊技機等から回収されたメダルを清浄するメダル清浄部と、
メダル清浄部によって清浄されたメダルを貯蔵する貯蔵タンクと、
貯蔵タンクから排出されたメダルを振り分ける振分機構と、
振分機構から供給されるメダルを収納する収納容器を並列状態で複数格納する収納部と、を設けたメダル清浄装置であって、
収納容器を左右両側に並置して格納する前記収納部は、
一方側の収納容器を上方位置に格納する上方部位と、
他方側の収納容器を下方位置に格納する下方部位とを有し、
下方部位が振分機構から供給されるメダルの供給位置の下部に配され、
上方部位の底面は下方部位側に向けて下り傾斜面に構成し、
下方部位に格納された収納容器を取り出すと上方部位に格納された収納容器が滑動してメダルの供給位置の下方部位にセットされることを特徴とするメダル清浄装置。
【発明の詳細な説明】
【技術分野】
【０００１】
本発明は、スロットマシン等の遊技機で使用されたメダルを回収し、メダル清浄部によって清浄された後に、遊技機に補給するために払い出されるメダルを貯留、収納するメダル収納容器を備えたメダル清浄装置に関する。
【背景技術】
【０００２】
従来、例えば、遊技場等に設置されたスロットマシン等の遊技機で使用されるメダルは、各遊技機の横側に設置されたメダル貸機から貸し出され、遊技機で使用された後、メダル回収装置に搬送され、このメダル清浄装置のメダル清浄部で磨かれたメダルを、作業員が、遊技機やメダル貸機に補給するようにしている。
【０００３】
このようなメダル清浄装置の従来例として、特許文献１について説明すると、一次タンク内に貯留されたメダルが下部送出機によってホッパーに投入され、リフターで揚送される。そして、シャッター装置の作動によって二次タンク側が開放されると、メダルはシャッター装置から二次タンクへと落下し貯められ、振り分け機を介してジョッキへと払い出される。
【０００４】
【特許文献１】特開２０００−２８８２３０号
【発明の開示】
【発明が解決しようとする課題】
【０００５】
とこで、上記従来のメダル清浄装置において、ジョッキは、メダル清浄装置の筐体の側部に開口を有する収納部に設置され、上方の二次タンクから払い出されたメダルをこのジョッキに貯めるものである。このとき作業員が収納部平面底部の所定位置に確実にジョッキをセットしないと、振り分け機を介して払出されるメダルが、ジョッキへ適正に払出されずに、収納部内に飛散の可能性がある。
【０００６】
また、ジョッキが収納部にセットされたことを検出するセンサ及び、ジョッキ内のメダル収納量を検出するセンサ類を設けた場合には、ジョッキを収納部の所定位置に確実にセットしないと、各センサでの検知が正確に行なわれない等の不具合が生じる。このため、センサ類で適正に検知させるためには、収納部の平面底部にジョッキを所定位置に確実にセットしたかの確認を都度行なう必要がある。また、所定位置にセットされていない場合には、ジョッキを再セットする等の手間が生じる。
【０００７】
本発明は、上記の問題点に鑑み、メダル清浄部による清浄後のメダルを貯蔵タンクに貯蔵し、該貯蔵タンクから払い出されるメダルを貯留、収納するメダル収納容器を複数併設した状態で収納可能なメダル清浄装置において、左右方向に傾斜を有した収納部にセットされたメダル収納容器は自重による滑動で確実に所定位置にセットされ、振分機にて振り分けられたメダルが収納部に飛散することがないメダル清浄装置を提供することを目的とする。
【課題を解決するための手段】
【０００８】
上記問題を解決するために、本発明のメダル清浄装置は、遊技機等から回収されたメダルを清浄するメダル清浄部と、メダル清浄部によって清浄されたメダルを貯蔵する貯蔵タンクと、貯蔵タンクから排出されたメダルを振り分ける振分機構と、振分機構から供給されるメダルを収納する収納容器を並列状態で複数格納する収納部と、を設けたメダル清浄装置であって、収納容器を左右両側に並置して格納する前記収納部は、一方側の収納容器を上方位置に格納する上方部位と、他方側の収納容器を下方位置に格納する下方部位とを有し、下方部位が振分機構から供給されるメダルの供給位置の下部に配され、上方部位の底面は下方部位側に向けて下り傾斜面に構成し、下方部位に格納された収納容器を取り出すと上方部位に格納された収納容器が滑動してメダルの供給位置の下方部位にセットされることを特徴とする。
【発明の効果】
【０００９】
本発明のメダル清浄装置によれば、上方に位置するメダル収納容器は、下方に位置するメダル収納容器を取り出すことにより、下方位置に確実にセットされる。従って、補給の都度行なわれるメダル収納容器の位置確認が必要なくなる。また、作業員による次の補給用の空のメダル収納容器をセットする必要がなくなる。
【発明を実施するための最良の形態】
【００１０】
以下、本発明の実施形態を添付の図面に基づいて説明する。
【実施例１】
【００１１】
まず、メダル清浄装置全体の概略構成についてメダルの流れに併せて説明すると、図１及び図２に示すように、遊技機等の回収ライン（不図示）から送られてきたメダルは回収受口３１を介して揚送リフト３２に案内され、この揚送リフト３２からメダル清浄部３３へ送られる。
【００１２】
メダル清浄部３３にて清浄が行われたメダルは、滑落シュート３４を経て上部タンク３５に貯蔵され、この上部タンク３５から振分機３６にて振分けられたメダルは、筐体１１の左右に配した収納部の内部に収納されたメダル収納容器２１に供給される。
【００１３】
また、メダル計数機４１に投入された景品メダルは、下部タンク４２に投下され、この下部タンク４２から送りシュート４３によって、上記回収受口３１へ搬送される。なお、下部タンク４２がメダルで満杯になると、余剰のメダルはオーバーフロータンク４４に蓄積される。
【００１４】
次に、本発明におけるメダル清浄装置のメダル収納容器を収納する収納部について説明する。筐体１１の左右の中間部位の側部には、開口部１２を有し、当該開口部１２が前記メダル収納容器２１を収納する収納部１３と成す。
【００１５】
なお、本実施例においては、筐体１１の左右略対称にメダル収納容器２１を収納するための収納部１３を設けてあるが、片方のみの構成にしてもよい。以下の説明においては、一方の収納部１３にメダル収納容器２１を収納するという趣旨で説明してあるが、それは他方の収納部においてメダル収納容器を収納する構造と同様の趣旨である。
【００１６】
前記メダル収納容器２１は、メダル清浄部３３によって清浄されたメダルを、遊技機及びメダル貸機に補給するために、取外し自在であって、持ち運び用の把手２２を有している。そして、当該メダル収納容器２１は、前記収納部１３に高低を持って併設状態で収納される。
【００１７】
次に、収納部１３の構造を、図４乃至７に基づいて詳細に説明する。
まず収納部１３は、上方位置にメダル収納容器２１ａを収納する上方部位１４ａと、下方位置にメダル収納容器２１ｂを収納する下方部位１４ｂを有している。
【００１８】
前記収納部１３の上方部位１４ａの底面１５ａは、手前から筐体内側に向けて、且つ右方向に下り傾斜している。更に、後述する下方部位１４ｂと共に、奥側壁面１６は下方から上方に掛けて内側方向に傾斜している。
【００１９】
また、奥側壁面１６の上部に、メダル収納容器２１ａの滑動の際に当接し、当該メダル収納容器２１ａの転倒を防止する規制突起１７と、メダル収納容器２１ａとの接触面の抵抗を低減すると共に、下方部位１４ｂへの滑動を誘導する誘導板１８が設けられている。尚、誘導板１８は、上方部位１４ａにあって、底面１５ａと同様な傾斜状を成し、メダル収納容器１２ａとはその背面で接触している。
【００２０】
以上の構造により、上方部位１４ａに収納されるメダル収納容器２１ａは、内側に倒れ掛かった状態で、且つ、右方向に滑動して収納されることとなる。
【００２１】
また、前記収納部１３の下方部位１４ｂの底面１５ｂは、前記上方部位１４ａの底面１５ａより一段下がって手前から筐体内側に向けて下り傾斜している。以上の構造により、下方部位１４ｂに収納されるメダル収納容器２１ｂは、内側に倒れ掛かった状態で収納される。
【００２２】
次いで、メダル収納容器２１ａの滑動状態について説明する。
店員が、遊技機，メダル貸機にメダル補給する際には、筐体１１からメダル収納容器２１ｂを取り外し、補給を必要とする機器まで持ち運ぶ。このとき、メダル収納容器２１ｂは、収納部１３の内側に倒れ掛かった状態、即ち、把手２２が上方向に向いた状態で収納されている。このことにより、メダルを貯留、収納した状態では相当量の重量となるメダル収納容器２１ｂをその状態のままで持上げるようにして店員自身の体に引寄せ取り外すので、作業が自然に行える。
【００２３】
前記メダル収納容器２１ｂが取り外されると、上方部位１４ａにあって、横方向に並べた状態で収納されているメダル収納容器２１ａは、規制突起１７に当接すると共に、誘導板１８に沿って転倒することなく、前記メダル収納容器２１ｂが収納されていた下方部位１４ｂに、特別な駆動を有することなく、簡単な構造で確実に滑動し、メダル供給位置にセットされる。
【００２４】
尚、下方部位１４ｂは、その底面１５ｂが隣接する底面１５ａより段差を持って、しかも奥側に傾斜しているので、メダル収納容器２１ｂは確りホールド状態で収納されるため、前記メダル清浄部３３で清浄されたメダルの飛散等がなく、メダルの供給を受けることができる。
【産業上の利用可能性】
【００２５】
本発明のメダル清浄装置は、メダル収納容器による遊技機、メダル貸機のメダル補給にあって、前記メダル収納容器へのメダル供給セットに於ける店員の労力を軽減するものとしての利用が可能である。
【図面の簡単な説明】
【００２６】
【図１】本発明に係わるメダル清浄装置の内部構成を示す正面斜視図である。
【図２】本発明に係わるメダル清浄装置の内部構成を示す背面斜視図である。
【図３】本発明に係わるメダル清浄装置のメダル収納容器の収納部状態を示す斜視図である。
【図４】本発明に係わる収納部を示す斜視図である。
【図５】本発明に係わるメダル収納容器の収納部状態を示す拡大斜視図である。
【図６】本発明に係わるメダル収納容器の取外し状態を示す平面図である。
【図７】本発明に係わるメダル収納容器の取外し状態を示す正面図である。
【符号の説明】
【００２７】
１１    筐体
１２    開口部
１３    収納部
１４ａ  上方部位
１４ｂ  下方部位
１５ａ  底面
１５ｂ  底面
１６    奥側壁面
１７    規制突起
１８    誘導板
２１    メダル収納容器
２１ａ  メダル収納容器（上方位置）
２１ｂ  メダル収納容器（下方位置）
２２    把手
３１    回収受口
３２    揚送リフト
３３    メダル清浄部
３４    滑落シュート
３５    上部タンク
３６    振分機
４１    メダル計数機
４２    下部タンク
４３    送りシュート
４４    オーバーフロータンク
【図１】
0004776340.tif 000002
【図２】
0004776340.tif 000003
【図３】
0004776340.tif 000004
【図４】
0004776340.tif 000005
【図５】
0004776340.tif 000006
【図６】
0004776340.tif 000007
【図７】
0004776340.tif 000008